(57)【要約】【課題】携帯電話機で応答する前にインターホン子機からの転送であることが確認できて使い勝手のよいインターホンシステムを提供する。【解決手段】子機２からの呼出があった場合に転送装置３からイベント管理サーバ装置４０を通じて携帯電話機５に呼出イベント通知メッセージが送信される。故に、使用者は携帯電話機５で応答する前に子機２からの転送であることが確認できて使い勝手がよくなる。しかも、使用者が携帯電話機５で応答する場合、転送装置３は呼制御サーバ装置４１に発呼するだけで呼制御サーバ装置４１あるいは携帯電話機５から転送装置３に着呼しないので、転送装置３に専用の電話番号（加入者番号）を割り当てる必要が無く、維持コストが抑えられる。【選択図】        図１
2011019010.tif 000002
【特許請求の範囲】
【請求項１】
住宅の外に設置されるインターホン子機と、住宅内に設置されてインターホン子機との間で音声信号を送受信するインターホン親機と、インターホン子機から送出される音声信号をデータに変換して外部ネットワークに送信するとともに外部ネットワークより受信するデータを音声信号に変換してインターホン子機に送出する転送装置と、転送装置との間で外部ネットワークを通じてデータ通信するサーバ装置と、サーバ装置との間で音声データを送受信する携帯電話機とを備え、
転送装置は、インターホン子機から呼出信号を受け取ったときに携帯電話機に宛ててイベント通知メッセージを送信し、
携帯電話機は、転送装置から受け取ったイベント通知メッセージに基づいてインターホン子機からの呼出を報知し、当該呼出に対する応答操作の入力を受け付けると転送装置に宛てて通話開始要求メッセージを送信するとともにサーバ装置に割り当てられている電話番号に発呼し、
転送装置は、携帯電話機から通話開始要求メッセージを受け取るとサーバ装置に割り当てられている電話番号に発呼し、
サーバ装置は、携帯電話機からの前記発呼に含まれる発信者情報と転送装置からの前記発呼に含まれる発信者情報とが予め決められた対応関係に合致する場合にのみ携帯電話機と転送装置の間に通話チャネルを開設するとともに当該通話チャネルを通して転送装置と携帯電話機との間で音声データを送受信させることを特徴とするインターホンシステム。
【請求項２】
サーバ装置は、転送装置から送信されるイベント通知メッセージを当該転送装置に対応付けられている携帯電話機に宛てて転送するとともに、携帯電話機から送信される通話開始要求メッセージを当該携帯電話機に対応付けられている転送装置に宛てて転送することを特徴とする請求項１記載のインターホンシステム。
【請求項３】
サーバ装置は、転送装置と携帯電話機との間でイベント通知メッセージ並びに通話開始要求メッセージの転送を管理するイベント管理サーバ装置と、転送装置と携帯電話機との間の呼制御を行う呼制御サーバ装置とからなることを特徴とする請求項２記載のインターホンシステム。
【請求項４】
サーバ装置は、自己に割り当てられる電話番号をイベント通知メッセージ並びに通話開始要求メッセージとともに携帯電話機及び転送装置に通知し、携帯電話機並びに転送装置は、サーバ装置から通知される電話番号に発呼することを特徴とする請求項２又は３記載のインターホンシステム。
【請求項５】
インターホン子機は来訪者を撮像する撮像装置を具備し当該撮像装置で撮像した画像をイベント通知メッセージとともに携帯電話機に宛てて送信し、
携帯電話機は画像を表示する表示手段を具備し、イベント通知メッセージとともに受け取った画像を当該表示手段で表示することを特徴とする請求項１〜４の何れか１項に記載のインターホンシステム。
【請求項６】
インターホン子機は来訪者を撮像する撮像装置を具備し当該撮像装置で撮像した画像をサーバ装置にアップロードし、
携帯電話機は画像を表示する表示手段を具備し、イベント通知メッセージを受け取った後にサーバ装置から前記画像をダウンロードして表示手段で表示することを特徴とする請求項１〜４の何れか１項に記載のインターホンシステム。
【発明の詳細な説明】
【技術分野】
【０００１】
本発明は、インターホンシステムに関し、特に、携帯電話機にインターホン通話の音声を転送するインターホンシステムに関するものである。
【背景技術】
【０００２】
従来のインターホンシステムは、インターホン親機に外線発信機能を追加し、転送モードに設定されているときにインターホン子機からの呼出信号を受信すると、予め登録されている電話番号（当該住戸の住人が携帯している携帯電話機の加入者番号）にインターホン親機が発呼し、インターホン親機がインターホン子機から受け取る音声を携帯電話機に転送するとともに携帯電話機から受け取る音声をインターホン子機に転送することによってインターホン子機と携帯電話機との間で通話することができるものであった（例えば、特許文献１参照）。あるいは、インターホン親機に接続される転送装置を備え、この転送装置が外線発信機能並びに転送機能を有しているインターホンシステムも提供されている（例えば、特許文献２参照）。
【先行技術文献】
【特許文献】
【０００３】
【特許文献１】特開平１１−３１３１６６号公報
【特許文献２】特開２００１−１０３４６３号公報
【発明の概要】
【発明が解決しようとする課題】
【０００４】
ところで、特許文献１，２に記載されている従来システムでは、インターホン親機若しくは転送装置から携帯電話機の電話番号に発呼した際、当該携帯電話機ではインターホン親機若しくは転送装置からの着呼であることが不明であるため（発信元の電話番号がインターホン親機若しくは転送装置に固有の番号である場合を除く。）、携帯電話機をオフフックして応答するまでは携帯電話機を携帯する住人が自宅のインターホン子機からの転送であることが判らなかった。そのため、住人は応答したくない相手（来訪者）であっても応答しなければならず、使い勝手が悪いものであった。尚、インターホン親機若しくは転送装置に固有の加入者番号を割り当てた場合、自宅の固定電話に割り当てられる加入者番号と別の加入者番号を電話会社から割り当てて貰うための費用が掛かるという問題がある。
【０００５】
本発明は上記事情に鑑みて為されたものであり、その目的は、携帯電話機で応答する前にインターホン子機からの転送であることが確認できて使い勝手のよいインターホンシステムを提供することにある。
【課題を解決するための手段】
【０００６】
請求項１の発明は、上記目的を達成するために、住宅の外に設置されるインターホン子機と、住宅内に設置されてインターホン子機との間で音声信号を送受信するインターホン親機と、インターホン子機から送出される音声信号をデータに変換して外部ネットワークに送信するとともに外部ネットワークより受信するデータを音声信号に変換してインターホン子機に送出する転送装置と、転送装置との間で外部ネットワークを通じてデータ通信するサーバ装置と、サーバ装置との間で音声データを送受信する携帯電話機とを備え、転送装置は、インターホン子機から呼出信号を受け取ったときに携帯電話機に宛ててイベント通知メッセージを送信し、携帯電話機は、転送装置から受け取ったイベント通知メッセージに基づいてインターホン子機からの呼出を報知し、当該呼出に対する応答操作の入力を受け付けると転送装置に宛てて通話開始要求メッセージを送信するとともにサーバ装置に割り当てられている電話番号に発呼し、転送装置は、携帯電話機から通話開始要求メッセージを受け取るとサーバ装置に割り当てられている電話番号に発呼し、サーバ装置は、携帯電話機からの前記発呼に含まれる発信者情報と転送装置からの前記発呼に含まれる発信者情報とが予め決められた対応関係に合致する場合にのみ携帯電話機と転送装置の間に通話チャネルを開設するとともに当該通話チャネルを通して転送装置と携帯電話機との間で音声データを送受信させることを特徴とする。
【０００７】
請求項１の発明によれば、携帯電話機で応答する前にインターホン子機からの転送であることが確認できて使い勝手がよくなり、しかも、転送装置はサーバ装置に発呼するだけでサーバ装置あるいは携帯電話機から着呼しないために専用の電話番号（加入者番号）を割り当てる必要が無く、維持コストが抑えられる。
【０００８】
請求項２の発明は、請求項１の発明において、サーバ装置は、転送装置から送信されるイベント通知メッセージを当該転送装置に対応付けられている携帯電話機に宛てて転送するとともに、携帯電話機から送信される通話開始要求メッセージを当該携帯電話機に対応付けられている転送装置に宛てて転送することを特徴とする。
【０００９】
請求項２の発明によれば、転送装置と携帯電話機との間の通信が全てサーバ装置を経由して行われ、転送装置及び携帯電話機はそれぞれサーバ装置とのみ通信すればよいので、携帯電話機と転送装置が直接通信する場合と比較して種々の制限を回避しやすく、且つセキュリティも確保し易い。
【００１０】
請求項３の発明は、請求項２の発明において、サーバ装置は、転送装置と携帯電話機との間でイベント通知メッセージ並びに通話開始要求メッセージの転送を管理するイベント管理サーバ装置と、転送装置と携帯電話機との間の呼制御を行う呼制御サーバ装置とからなることを特徴とする。
【００１１】
請求項３の発明によれば、サーバ装置をイベント管理サーバ装置と呼制御サーバ装置に分離したため、呼制御サーバ装置に汎用品が使用できてコストダウンが図れる。
【００１２】
請求項４の発明は、請求項２又は３の発明において、サーバ装置は、自己に割り当てられる電話番号をイベント通知メッセージ並びに通話開始要求メッセージとともに携帯電話機及び転送装置に通知し、携帯電話機並びに転送装置は、サーバ装置から通知される電話番号に発呼することを特徴とする。
【００１３】
請求項４の発明によれば、転送装置並びに携帯電話機が発呼する先のサーバ装置の電話番号を動的に変更できるためにシステム構成の追加や変更に容易に対処できる。
【００１４】
請求項５の発明は、請求項１〜４の何れか１項の発明において、インターホン子機は来訪者を撮像する撮像装置を具備し当該撮像装置で撮像した画像をイベント通知メッセージとともに携帯電話機に宛てて送信し、携帯電話機は画像を表示する表示手段を具備し、イベント通知メッセージとともに受け取った画像を当該表示手段で表示することを特徴とする。
【００１５】
請求項５の発明によれば、インターホン子機の撮像装置で撮像された画像（来訪者を被写体とする画像）を携帯電話機の表示手段で表示することができるので、使用者は来訪者を確認して応答の要否を判断することが可能となって使い勝手が向上する。
【００１６】
請求項６の発明は、請求項１〜４の何れか１項の発明において、インターホン子機は来訪者を撮像する撮像装置を具備し当該撮像装置で撮像した画像をサーバ装置にアップロードし、携帯電話機は画像を表示する表示手段を具備し、イベント通知メッセージを受け取った後にサーバ装置から前記画像をダウンロードして表示手段で表示することを特徴とする。
【００１７】
請求項６の発明によれば、インターホン子機の撮像装置で撮像された画像（来訪者を被写体とする画像）を携帯電話機の表示手段で表示することができるので、例えば、携帯電話機宛てに送信するイベント通知メッセージの形式や容量などの制約によって画像をイベント通知メッセージとともに送信できない場合であっても、使用者は来訪者を確認して応答の要否を判断することが可能となって使い勝手が向上する。
【発明の効果】
【００１８】
本発明によれば、携帯電話機で応答する前にインターホン子機からの転送であることが確認できて使い勝手のよいインターホンシステムを提供することができる。
【図面の簡単な説明】
【００１９】
【図１】本発明の実施形態を示すシステム構成図である。
【図２】同上における転送装置のブロック図である。
【図３】同上の転送処理の動作を説明するためのシーケンス図である。
【発明を実施するための形態】
【００２０】
本実施形態のインターホンシステムは、図１に示すように住宅の外に設置されるインターホン子機（以下、子機と略す。）２と、住宅内に設置されて子機２との間で音声信号を送受信するインターホン親機（以下、親機と略す。）１と、子機２から送出される音声信号をデータに変換して外部ネットワークに送信するとともに外部ネットワークより受信するデータを音声信号に変換して子機２に送出する転送装置３と、転送装置３との間で外部ネットワークを通じてデータ通信するサーバ装置４と、サーバ装置４との間で音声データを送受信する携帯電話機５と、住宅内外に設置され、検知領域における人の存在を検知したときに当該検知領域を撮像するとともに撮像した画像を親機１に伝送するセンサカメラ子機６と、住宅内に設置されてＬＡＮケーブルＬ２で接続された転送装置３をインターネット網（外部ネットワーク）ＮＴに接続するルータ７とを備えている。
【００２１】
また、ルータ７には、転送装置３以外にウェブカメラやパソコン等の機器を接続して宅内ネットワークを構成してもよく、この場合、転送装置３だけでなく当該宅内ネットワークがルータ７を介してインターネット網ＮＴに接続される。
【００２２】
子機２は、通話用のマイクロホン並びにスピーカの他に来訪者を撮像するための撮像装置を具備し、マイクロホンで集音した通話音声を信号線Ｌ１を介して親機１に伝送し、且つ親機１から信号線Ｌ１を介して伝送される通話音声をスピーカから鳴動させる通話機能と、呼出釦が押操作されたときに信号線Ｌ１を介して親機１に呼出信号（呼出コマンド）を送信する呼出機能と、撮像装置（例えば、動画像を出力するＣＣＤカメラ）で撮像された画像を周波数変調して通話音声に多重化することで信号線Ｌ１を介して親機１に伝送する画像伝送機能とを有している。
【００２３】
また、センサカメラ子機６は、人体から放射される熱線を検出することで監視領域内への人の侵入を検知する熱線センサや動画像を出力するＣＣＤカメラ等を具備し、信号線Ｌ１を介して監視領域の画像を親機１に伝送する機能を有している。なお、子機２とセンサカメラ子機６は親機１に対して信号線Ｌ１により送り接続されている。
【００２４】
親機１は、全体の制御を行うマイコンや音声処理用のＤＳＰ、通話用のマイクロホン並びにスピーカや画像表示用の液晶ディスプレイ、画像や通話音声を記録する不揮発性の半導体メモリ等を具備している。尚、親機１に対して子機２及びセンサカメラ子機６と転送装置３は信号線Ｌ１を介して並列に接続されており、子機２から信号線Ｌ１を介して伝送される通話音声並びに画像、及びセンサカメラ子機６から信号鉛Ｌ１を介して伝送される画像は転送装置３の通信部３２でも受信できる。
【００２５】
また親機１は、子機２からの呼出信号を受信したときにスピーカから呼出音を鳴動する機能と、呼出音の鳴動中又は鳴動後の一定時間内に応答釦が押操作されたときに信号線Ｌ１を介した通話路を形成して通話音声を授受する通話機能と、通話中に子機２の撮像装置で撮像され且つ伝送される画像（来訪者を撮像した画像）を周波数復調して液晶ディスプレイに表示する機能（表示機能）と、通話中以外で撮像装置またはセンサカメラ子機６で撮像され且つ伝送される画像を周波数復調して液晶ディスプレイに表示する機能（画像モニタ機能）と、留守録設定中に呼出信号を受信した場合に信号線Ｌ１を介して子機２から伝送される画像並びに通話音声を不揮発性の半導体メモリに記録する機能（留守録機能）と、センサカメラ子機６で撮像され且つ信号線Ｌ１を介して伝送された画像を不揮発性の半導体メモリに記録する機能（センサカメラ録画機能）とを有している。
【００２６】
そして、親機１では、子機２からの呼出に応答する操作が行われると、子機２と親機１との間に通話路が形成され、子機２と親機１との間で拡声通話が行われる。但し、上述のような機能を有する親機１、子機２、センサカメラ子機６については、従来周知であるから詳細な構成についての図示並びに説明を省略する。
【００２７】
携帯電話機５はインターネット接続機能を有する従来周知のものであって、携帯電話会社（キャリア）が保有する携帯電話網を介して発信（発呼），着信（着呼）及び通話する通話機能、前記携帯電話網を介してデータ通信するデータ通信機能、液晶ディスプレイのような表示デバイスを有しデータ通信機能によって取得した画像を当該表示デバイスに表示する表示機能、内蔵メモリに格納されているアプリケーションプログラムを実行させるプログラム実行機能などを有している。但し、このような携帯電話機５は従来周知であるから詳細な構成についての図示並びに説明は省略する。
【００２８】
転送装置３は、図２に示すようにマイコンを主構成要素とする制御部３０と、宅内ネットワークのＬＡＮケーブルＬ２が接続され制御部３０と宅内ネットワークのインタフェースを行うＬＡＮインタフェース部３１と、子機２との間で信号線Ｌ１を介した通話音声や画像などを送受信するとともにセンサカメラ子機６から信号線Ｌ１を介して送信される画像を受信する通信部３２と、ＬＥＤ等の発光素子で電源のオン／オフ状態や通信状態等を表示する表示部３３と、押釦スイッチ等を有する操作部３４と、マイコンで実行するプログラムや子機２並びにセンサカメラ子機６から信号線Ｌ１を通じて伝送されるデータ（画像データ及び通話音声データ）を記憶するメモリ部３５とを備えている。また、図示は省略しているが、商用電源から所望の直流電源を作成して制御部３０やその他の各部に動作電源を供給するための電源回路も備えている。
【００２９】
転送装置３の制御部３０は、子機２並びにセンサカメラ子機６から伝送された画像データ及び通話音声データを通信部３２で受信するとともに受け取ったデータを所定の圧縮方式（例えば、動画像であればＭＰＥＧ４、静止画像であればＪＰＥＧ、音声であればＭＰ３など）で圧縮した後にＬＡＮインタフェース部３１より宅内ネットワーク経由でサーバ装置４に伝送するとともにサーバ装置４から宅内ネットワーク経由で伝送されるデータをＬＡＮインタフェース部３１で受信し且つ受信したデータを伸長して得られる通話音声データを信号線Ｌ１を介して子機２に伝送する機能（転送機能）と、ＬＡＮインタフェース部３１よりイベント管理サーバ装置４０に対して定期的にポーリングを行い、携帯電話機５から受け取ったメッセージがイベント管理サーバ装置４０に保持されていれば、ポーリング時にイベント管理サーバ装置４０から当該メッセージを受け取る機能（ポーリング機能）などを有している。ここで、イベント管理サーバ装置４０が接続されているインターネット網ＮＴに対して転送装置３が常時ポートを開放しているとセキュリティが低下してしまうので、通常はポートを閉じつつイベント管理サーバ装置４０に対してポーリングを行うときにだけポートを開放することで転送装置３のセキュリティ低下を防いでいるのである。
【００３０】
サーバ装置４は、転送装置３と携帯電話機５との間で授受されるメッセージの転送を管理するイベント管理サーバ装置４０と、転送装置３と携帯電話機５との間の呼制御を行う呼制御サーバ装置４１とで構成される。イベント管理サーバ装置４０はウェブサーバのソフトウェアを実装した汎用のコンピュータからなり、呼制御サーバ装置４１はＩＥＴＦから発行されているＲＦＣ３２６１で規定されたＳＩＰ(Session Initiation Protocol)を実装した汎用のコンピュータからなる。但し、イベント管理サーバ装置４０と呼制御サーバ装置４１は必ずしも別のコンピュータで構成する必要はなく、１台のコンピュータにウェブサーバのソフトウェアとＳＩＰを実装しても構わない。
【００３１】
次に、転送装置３の動作について、図３に示すシーケンス図を参照して詳細に説明する。但し、以下では説明を簡単にするため、転送装置３によるイベント管理サーバ装置４０への定期的なポーリングの説明及び図示を省略している。
【００３２】
まず、来訪者が呼出釦を押操作すると子機２から信号線Ｌ１を介して呼出コマンドが送信される。この呼出コマンドは親機１と転送装置３の通信部３２でそれぞれ受信される。ここで、親機１は呼出コマンドを受け取ると通常通り呼出音を鳴動する。一方、転送装置３では、通信部３２で受信した呼出コマンドに基づいて制御部３０が呼出イベント通知メッセージを生成し、当該メッセージと転送装置３に割り当てられた固有の識別符号（ＩＤ）とを含むパケットをＬＡＮインタフェース部３１よりイベント管理サーバ装置４０に宛てて送信する。また、子機２は呼出コマンドを送信した後、撮像装置を起動して来訪者を撮像するとともに撮像装置から出力される撮像画像（来訪者を撮像した画像。以下同じ。）を信号線Ｌ１を介して送信する。
【００３３】
イベント管理サーバ装置４０は、呼出イベント通知メッセージを受け取ると、データベースを参照して当該メッセージとともに受け取った識別符号に対応する携帯電話機の電話番号を取得し、呼出イベント通知メッセージと呼制御サーバ装置４１に割り当てられている電話番号を含むパケットをインターネット網ＮＴを通じて携帯電話機５に送信する（実際は、携帯電話会社が管理するサーバに送信され、当該サーバから携帯電話網を通じて携帯電話機５に送信される）。また、イベント管理サーバ装置４０では転送装置３に対して撮像画像の送信を要求するメッセージを含むパケットをインターネット網ＮＴを通じて送信する。
【００３４】
転送装置３の制御部３０は、イベント管理サーバ装置４０から撮像画像の送信要求を受け取ると、子機２から送られてきた撮像画像（画像データ）を含むパケットをＬＡＮインタフェース部３１よりインターネット網ＮＴを通じてイベント管理サーバ装置４０に送信する。
【００３５】
携帯電話機５では、イベント管理サーバ装置４０から呼出イベント通知メッセージを受け取ると規定のアプリケーションプログラムを実行し、このアプリケーションプログラムによりイベント管理サーバ装置４０に対して撮像画像の取得要求のメッセージを送信する。
【００３６】
イベント管理サーバ装置４０は携帯電話機５から撮像画像取得要求のメッセージを受け取ると、転送装置３から取得した撮像画像を含むパケットをインターネット網ＮＴを通じて携帯電話機５に送信する。
【００３７】
携帯電話機５ではイベント管理サーバ装置４０から撮像画像を受け取ると、前記アプリケーションプログラムにより当該撮像画像が表示デバイスの画面に表示されるとともに、スピーカから呼出音が鳴動される（マナーモードに設定されている場合を除く。）。故に、携帯電話機５を携帯している使用者は、携帯電話機５の表示デバイスに表示される撮像画像によって来訪者を確認することができる。そして、来訪者を確認した使用者が呼出に対する応答が必要と判断すれば、携帯電話機５の操作釦を操作するなどして応答操作を入力する。この応答操作入力を受け取った携帯電話機５は、イベント管理サーバ装置４０に対して通話開始要求メッセージを送信する。さらに携帯電話機５は、イベント管理サーバ装置４０から受け取った呼制御サーバ装置４１の電話番号に対する発呼処理を実行する。
【００３８】
ここで、本実施形態における呼制御サーバ装置４１はＩＰ電話を利用しており、携帯電話機５から呼制御サーバ装置４１の電話番号に発呼すると、携帯電話会社の携帯電話網並びに公衆電話網を通じて当該ＩＰ電話サービスを提供するＩＰ電話会社のサーバ（ＳＩＰサーバ）に着呼する。そして、ＩＰ電話会社のＳＩＰサーバは、呼制御サーバ装置４１の電話番号を含むＵＲＩ(Uniform Resource Identifier)を宛先アドレスに設定したINVITEメッセージをインターネット網ＮＴを通じて送信する。但し、図３ではＩＰ電話会社のＳＩＰサーバの図示を省略して携帯電話機５からINVITEメッセージを送信するように表記しており、以下の処理においても呼制御サーバ装置４１と携帯電話機５との間の通信は携帯電話会社の携帯電話網並びに公衆電話網を通じてＩＰ電話会社のＳＩＰサーバ経由で行われる。呼制御サーバ装置４１は、発呼元の携帯電話機５（実際はＩＰ電話会社のＳＩＰサーバ）に対して「発呼先へのINVITEを実行中である」ことを通知する暫定応答（100Trying）を送信する。
【００３９】
一方、イベント管理サーバ装置４０は携帯電話機５から通話開始要求メッセージを受け取ると、転送装置３に対して通話開始を指示するメッセージ並びに当該携帯電話機５の電話番号を含むパケットをインターネット網ＮＴを通じて送信する。このメッセージを受け取った転送装置３の制御部３０は、通信部３２より子機２に対して通話開始コマンドを送信し、通話開始コマンドを受け取った子機２から肯定応答（ＡＣＫ）の返信を受け取る。さらに子機２からＡＣＫを受け取った転送装置３の制御部３０は、イベント管理サーバ装置４０から受け取った呼制御サーバ装置４１の電話番号を含むＵＲＩを宛先アドレスに設定し、携帯電話機５の電話番号を付加情報として含むINVITEメッセージをインターネット網ＮＴを通じて送信する。
【００４０】
呼制御サーバ装置４１では、ＩＰ電話会社のＳＩＰサーバから受け取ったINVITEメッセージの送信元アドレスに設定されているＵＲＩから携帯電話機５の電話番号を取得するとともに、転送装置３から受け取ったINVITEメッセージに含まれる付加情報から電話番号を取得し、これら２つの電話番号が一致すれば携帯電話機５（ＩＰ電話会社のＳＩＰサーバ）並びに転送装置３に対してそれぞれ「成功」のステータスコード（200 OK）を送信する。そして、ステータスコード（200 OK）を受け取った携帯電話機５（ＩＰ電話会社のＳＩＰサーバ）並びに転送装置３から各々セッション確立了解の応答（ACK）が呼制御サーバ装置４１に送信されることにより、携帯電話機５と転送装置３との間でセッションが確立されて（通話チャネルが開設されて）通話音声の音声データが相互に授受される。その結果、携帯電話機５と子機２を利用して使用者と来訪者が通話できるものである。尚、携帯電話機５の電話番号と転送装置３から受け取ったINVITEメッセージに含まれる電話番号とが一致しない場合、呼制御サーバ装置４１は携帯電話機５（ＩＰ電話会社のＳＩＰサーバ）並びに転送装置３に対してそれぞれサーバエラーのステータスコードを送信して処理を終了する。
【００４１】
而して本実施形態によれば、子機２からの呼出があった場合に転送装置３からイベント管理サーバ装置４０を通じて携帯電話機５に呼出イベント通知メッセージが送信されるため、使用者は携帯電話機５で応答する前に子機２からの転送であることが確認できて使い勝手がよくなる。しかも、使用者が携帯電話機５で応答する場合、転送装置３は呼制御サーバ装置４１に発呼するだけで呼制御サーバ装置４１あるいは携帯電話機５から転送装置３に着呼しないので、転送装置３に専用の電話番号（加入者番号）を割り当てる必要が無く、維持コストが抑えられるという利点がある。
【００４２】
また本実施形態では、転送装置３と携帯電話機５との間の通信が全てイベント管理サーバ装置４０を経由して行われ、転送装置３及び携帯電話機５はそれぞれイベント管理サーバ装置４０とのみ通信すればよいので、携帯電話機５と転送装置３が直接通信する場合と比較して種々の制限を回避しやすく、且つセキュリティも確保し易いという利点がある。例えば、携帯電話機５では予め設定されたＩＰアドレスとしかデータ通信ができない場合があるが、本実施形態ではイベント管理サーバ装置４０のみとデータ通信すればよいために問題が生じない。また、転送装置３もイベント管理サーバ装置４０とのみデータ通信すればよく、しかも、本実施形態では転送装置３からイベント管理サーバ装置４０への定期的なポーリングによってデータ通信を行っているので、いわゆる「ＮＡＴ超え」の問題が生じないという利点がある。さらに携帯電話機５から呼制御サーバ装置４１の電話番号に発呼するため、呼制御サーバ装置４１では通話の課金管理が不要になるという利点もある。さらにまた、転送装置３では呼制御サーバ装置４１を介して携帯電話機５との間の通話チャネルが開設されるので、呼制御サーバ装置４１に対応したＳＩＰのみを実装すればよく、呼制御サーバ装置４１を介さない場合と比べてＩＰ電話会社が採用する呼制御のプロトコルに依存しない発呼処理が可能となる。
【００４３】
ここで、本実施形態ではサーバ装置４をイベント管理サーバ装置４０と呼制御サーバ装置４１に分離しているので、呼制御サーバ装置４１に汎用品（市販のＳＩＰサーバやＩＰ−ＰＢＸなど）が使用できてコストダウンが図れるという利点がある。また本実施形態では、サーバ装置４（呼制御サーバ装置４０）が自己に割り当てられる電話番号を呼出イベント通知メッセージ並びに通話開始要求メッセージとともに携帯電話機５及び転送装置３に通知し、携帯電話機５並びに転送装置３が呼制御サーバ装置４１から通知される電話番号に発呼するため、発呼先の呼制御サーバ装置４１の電話番号を動的に変更できてシステム構成の追加や変更に容易に対処できるという利点がある。
【００４４】
尚、本実施形態では子機２が撮像装置で撮像した画像をイベント管理サーバ装置４０に送信（アップロード）し、携帯電話機５では呼出イベント通知メッセージを受け取った後にイベント管理サーバ装置４０から前記画像を取得（ダウンロード）して表示デバイスで表示するようにしているため、例えば、携帯電話機５宛てに送信するイベント通知メッセージの形式や容量などの制約によって画像をイベント通知メッセージとともに送信できない場合であっても携帯電話機５で来訪者の画像を確認することができる。但し、上述のような制約がなければ、イベント管理サーバ装置４０から携帯電話機５に対して呼出イベント通知メッセージとともに前記画像を送信するようにしても構わない。
【００４５】
ところで、センサカメラ子機６が監視領域内に侵入した不審者を検出して撮像した監視領域の画像をセンサカメラ子機６からイベント管理サーバ装置４０に送信（アップロード）し、イベント管理サーバ装置４０から携帯電話機５に対して侵入検知のイベント通知メッセージを送信するとともに、当該イベント通知メッセージを受け取った携帯電話機５がイベント管理サーバ装置４０から前記画像を取得（ダウンロード）するか、あるいは侵入検知のイベント通知メッセージとともに当該画像を取得して表示デバイスに当該画像を表示することもできる。つまり、センサカメラ子機６が撮像した監視領域の画像を携帯電話機５の表示デバイスに表示して確認できるため、外出先から警察に通報するなどの対処をとることができて使い勝手が向上するものである。
【００４６】
尚、本実施形態における転送装置３の構成要素（図２参照）を親機１に搭載して転送装置３を親機１と一体に構成することも可能である。
【符号の説明】
【００４７】
１  インターホン親機
２  インターホン子機
３  転送装置
４  サーバ装置
５  携帯電話機
４０  イベント管理サーバ装置
４１  呼制御サーバ装置
ＮＴ  インターネット網（外部ネットワーク）
【図１】
2011019010.tif 000003
【図２】
2011019010.tif 000004
【図３】
2011019010.tif 000005